(57)【要約】  本発明によるスイングチェアは、底から一定高さ以上に位置するように取り付ける支持台、長く形成されて一側が支持台で仮想の第１回転軸を有し、回転できるように結合されるメイン作動部材、長く形成されて一側が第１回転軸と平行に離隔された仮想の第２回転軸を有し、支持台に回転できるように結合されるサブ作動部材、メイン作動部材またはサブ作動部材のいずれか一つに結合される座席部、及び長く形成されて前後方向に配置され、後方がメイン作動部材の他側と回転できるように結合され、前方がサブ作動部材の他側と回転できるように結合され、支持台、メイン作動部材及びサブ作動部材とともに密閉された仮想の四角形を成すように配置される回転連結部材を含み、使用者の操作によって回転連結部材とメイン作動部材の結合角度が変化し、メイン作動部材が仮想の四角形によって連動されて第１回転軸を中心として前後方向にスイングされる。【選択図】図１
2019536529.tif 000002
【特許請求の範囲】
【請求項１】
底から一定高さ以上に位置するように取り付ける支持台；
長く形成されて一側が前記支持台で仮想の第１回転軸を有し、回転できるように結合されるメイン作動部材；
長く形成されて一側が前記第１回転軸と平行に離隔された仮想の第２回転軸を有し、前記支持台に回転できるように結合されるサブ作動部材；
前記メイン作動部材または前記サブ作動部材のいずれか一つに結合される座席部；及び
長く形成されて前後方向に配置され、後方が前記メイン作動部材の他側と回転できるように結合され、前方が前記サブ作動部材の他側と回転できるように結合され、前記支持台、前記メイン作動部材及び前記サブ作動部材とともに密閉された仮想の四角形を成すように配置される回転連結部材を含み、
使用者の操作によって前記回転連結部材と前記メイン作動部材の結合角度が変化し、前記メイン作動部材が前記仮想の四角形によって連動されて前記第１回転軸を中心として前後方向にスイングされるスイングチェア。
【請求項２】
前記回転連結部材は、
長手方向に沿って一部が前方に突出して形成される請求項１に記載のスイングチェア。
【請求項３】
前記回転連結部材は、
前記サブ作動部材との結合地点を中心として上下回転される請求項２に記載のスイングチェア。
【請求項４】
前記回転連結部材は、
前方に外力が作用して下方に回転する場合、前記仮想の四角形で前記回転連結部材と前記メイン作動部材が結合された内角が増加する請求項３に記載のスイングチェア。
【請求項５】
前記回転連結部材は、
前記サブ作動部材との結合位置が長手方向に沿って調節できる請求項２に記載のスイングチェア。
【請求項６】
前記回転連結部材は、
長手方向に沿って前方に伸縮できるように構成される請求項２に記載のスイングチェア。
【請求項７】
前記回転連結部材は、
使用者が前記座席部に着席した状態で操作できるように配置される請求項２に記載のスイングチェア。
【請求項８】
前記回転連結部材は、
長手方向に沿う前方が踏み台の形態で形成され、使用者が前記座席部に着席した状態で足を利用して操作できる請求項７に記載のスイングチェア。
【請求項９】
前記回転連結部材は、
前記サブ作動部材との結合地点の前方に別途操作ハンドルが備えられ、使用者が座席部に着席した状態で接近可能な位置で配置される請求項７に記載のスイングチェア。
【請求項１０】
前記メイン作動部材は、
長手方向に沿う少なくとも一部はワイヤの形態で形成される請求項１に記載のスイングチェア。
【請求項１１】
前記座席部は、
前記メイン作動部材上に固定結合される請求項１０に記載のスイングチェア。
【請求項１２】
前記メイン作動部材は、
長手方向に沿って前記座席部の下部に配置された領域がフレーム形態で形成される請求項１１に記載のスイングチェア。
【請求項１３】
前記サブ作動部材は、
ワイヤの形態で形成される請求項１１に記載のスイングチェア。
【請求項１４】
長く形成されて一側が前記支持台に連結され、他側が前記座席部に連結される別途の補助支持部材をさらに含む請求項１０に記載のスイングチェア。
【請求項１５】
前記補助支持部材は、
ワイヤの形態で形成される請求項１４に記載のスイングチェア。
【請求項１６】
前記メイン作動部材は、フレーム形態で形成され、
前記サブ作動部材は、ワイヤの形態で形成される請求項１に記載のスイングチェア。
【請求項１７】
前記座席部は、
前記メイン作動部材の下部に固定結合される請求項１６に記載のスイングチェア。
【請求項１８】
前記座席部は、
前記サブ作動部材の下部に固定結合される請求項１６に記載のスイングチェア。
【請求項１９】
前記メイン作動部材は、ワイヤの形態で形成され、
前記サブ作動部材は、フレーム形態で形成される請求項１に記載のスイングチェア。
【請求項２０】
前記座席部は、前記メイン作動部材の下部に固定結合される請求項１９に記載のスイングチェア。
【請求項２１】
前記メイン作動部材及び前記サブ作動部材は、フレーム形態で形成される請求項１に記載のスイングチェア。
【請求項２２】
前記第１回転軸及び前記第２回転軸は、前後方向に離隔配置されて前記支持台に結合される請求項２１に記載のスイングチェア。
【請求項２３】
前記座席部または前記回転連結部材の少なくともいずれか一つに取っ手がさらに備えられる請求項１に記載のスイングチェア。
【請求項２４】
前記メイン作動部材は、複数個で構成されて前記第１回転軸上に離隔配置され、
前記座席部は、前記メイン作動部材の間に固定結合される請求項１に記載のスイングチェア。
【請求項２５】
前記サブ作動部材は、複数個で構成されて前記第２回転軸上に離隔配置され、
前記座席部は、前記サブ作動部材の間に固定結合される請求項１に記載のスイングチェア。
【請求項２６】
前記座席部は、搖りかごをさらに含む請求項１に記載のスイングチェア。
【請求項２７】
前記座席部または前記回転連結部材は、
あん摩手段をさらに含む請求項１に記載のスイングチェア。
【請求項２８】
前記座席部は、
身体情報を測定する手段をさらに含む請求項１に記載のスイングチェア。
【発明の詳細な説明】
【技術分野】
【０００１】
本発明は、スイングチェアに係り、より詳しくは、使用者の外力によって別途動力源がなくても容易にスイングできるスイングチェアに関する。
【背景技術】
【０００２】
一般的なぶらんこは、使用者が座席部に着席して全身を前後に振って慣性力を生じさせることで、ぶらんこを前方または後方に回転させる。
【０００３】
しかし、前記一般的なぶらんこは、初期に慣性力を得るため、ぶらんこを後方に回転させた後、前方へ進む過程を繰り返すと同時に、足を前方または後方に振りながら慣性力を維持しなければならないので、ぶらんこを使い難いし、不便という問題点があった。
【０００４】
また、一般的に使われる、自動に搖れるぶらんこは、モーターのような別途駆動装置と複雑なギアなどをぶらんこに加えてぶらんこを回転させるので、その構成が複雑で、製造原価が上昇し、別途電気料が発生する問題点があった。
【０００５】
したがって、このような問題点を解決するための方法が求められる。
【発明の概要】
【発明が解決しようとする課題】
【０００６】
本発明は、上述した従来技術の問題点を解決するために案出された発明であって、スイングチェアを支持台、メイン作動部材、サブ作動部材、座席部及び回転連結部材で構成し、スイングチェアが作動する構造を単純化しようとする。
【０００７】
支持台、メイン作動部材、サブ作動部材及び回転連結部材を密閉された仮想の四角形を成すように配置し、メイン作動部材及び座席部が前記仮想の四角形によって連動され、第１回転軸を中心として前方向に移動させようとする。
【０００８】
第３回転軸を基準として回転連結部材の前方の長さを長く形成し、後方の長さを短く形成することで、てこの原理で使用者が小さい力を加えるだけでも回転連結部材が大きい力で回転され、使用者が着席した座席部を前方向に容易に移動させることで、老弱者の下半身運動を目的としてスイングチェアを利用できるようにする。
【０００９】
回転連結部材に別途の操作ハンドルを備えることで、使用者が踏み台を踏まずに操作ハンドルを前後方向に移動させることで、座席部を前後方向にスイングできるようにする。
【００１０】
座席部または回転連結部材に取っ手を取り付け、保護者が前記取っ手を利用して子供や老弱者が着席したスイングチェアを前後方向にスイングできるようにする。
【００１１】
メイン作動部材またはサブ作動部材をワイヤまたはフレームの形態で選択的に構成することにより、多様な形態のスイングチェアを製造しようとする。
【００１２】
本出願の課題は、以上で言及した課題に制限されず、言及されていない別の課題は、以下の記載から当業者にとって明確に理解できる。
【課題を解決するための手段】
【００１３】
前記目的を達成するための本発明のスイングチェアは、底から一定高さ以上に位置するように取り付ける支持台、長く形成されて一側が前記支持台で仮想の第１回転軸を有し、回転できるように結合されるメイン作動部材、長く形成されて一側が前記第１回転軸と平行に離隔された仮想の第２回転軸を有し、前記支持台に回転できるように結合されるサブ作動部材、前記メイン作動部材または前記サブ作動部材のいずれか一つに結合される座席部、及び長く形成されて前後方向に配置され、後方が前記メイン作動部材の他側と回転できるように結合され、前方が前記サブ作動部材の他側と回転できるように結合され、前記支持台、前記メイン作動部材及び前記サブ作動部材とともに密閉された仮想の四角形を成すように配置される回転連結部材を含み、使用者の操作によって前記回転連結部材と前記メイン作動部材の結合角度が変化し、前記メイン作動部材が前記仮想の四角形によって連動されて前記第１回転軸を中心として前後方向にスイングされることが好ましい。
【００１４】
回転連結部材は、長手方向に沿って一部が前方に突出して形成されることが好ましい。
【００１５】
回転連結部材は、前記サブ作動部材との結合地点を中心として上下回転されることが好ましい。
【００１６】
回転連結部材は、前方に外力が作用して下方に回転する場合、前記仮想の四角形で前記回転連結部材と前記メイン作動部材が結合された内角が増加することが好ましい。
【００１７】
回転連結部材は、前記サブ作動部材との結合位置が長手方向に沿って調節できることが好ましい。
【００１８】
回転連結部材は、長手方向に沿って前方に伸縮できるように構成されることが好ましい。
【００１９】
回転連結部材は、使用者が前記座席部に着席した状態で操作できるように配置されることが好ましい。
【００２０】
回転連結部材は、長手方向に沿う前方が踏み台の形態で形成され、使用者が前記座席部に着席した状態で足を利用して操作できることが好ましい。
【００２１】
回転連結部材は、前記サブ作動部材との結合地点の前方に別途操作ハンドルが備えられ、使用者が座席部に着席した状態で接近可能な位置で配置されることが好ましい。
【００２２】
メイン作動部材は、長手方向に沿う少なくとも一部はワイヤの形態で形成されることが好ましい。
【００２３】
座席部は前記メイン作動部材上に固定結合されることが好ましい。
【００２４】
メイン作動部材は、長手方向に沿って前記座席部の下部に配置された領域がフレーム形態で形成されることが好ましい。
【００２５】
サブ作動部材は、ワイヤの形態で形成されることが好ましい。
【００２６】
長く形成されて一側が前記支持台に連結され、他側が前記座席部に連結される別途の補助支持部材をさらに含むことができる。
【００２７】
補助支持部材は、ワイヤの形態で形成されることが好ましい。
【００２８】
メイン作動部材は、フレーム形態で形成され、前記サブ作動部材はワイヤの形態で形成されることが好ましい。
【００２９】
座席部は、前記メイン作動部材の下部に固定結合されることが好ましい。
【００３０】
座席部は、前記サブ作動部材の下部に固定結合されることが好ましい。
【００３１】
メイン作動部材は、ワイヤの形態で形成され、前記サブ作動部材は、フレーム形態で形成されることが好ましい。
【００３２】
座席部は、前記メイン作動部材の下部に固定結合されることが好ましい。
【００３３】
メイン作動部材及び前記サブ作動部材は、フレーム形態で形成されることが好ましい。
【００３４】
第１回転軸及び前記第２回転軸は、前後方向に離隔配置されて前記支持台に結合されることが好ましい。
【００３５】
座席部または前記回転連結部材の少なくともいずれか一つに取っ手がさらに備えられることが好ましい。
【００３６】
メイン作動部材は複数個で構成されて前記第１回転軸上に離隔配置され、前記座席部は、前記メイン作動部材の間に固定結合されることが好ましい。
【００３７】
サブ作動部材は複数個で構成されて前記第２回転軸上に離隔配置され、前記座席部は、前記サブ作動部材の間に固定結合されることが好ましい。
【００３８】
座席部は、搖りかごをさらに含むことができる。
【００３９】
座席部または前記回転連結部材は、あん摩手段をさらに含むことができる。
【００４０】
座席部は、身体情報を測定する手段をさらに含むことができる。
【発明の効果】
【００４１】
前記課題を解決するための本発明のスイングチェアは、次のような効果がある。
【００４２】
第一、スイングチェアを支持台、メイン作動部材、サブ作動部材、座席部及び回転連結部材で構成してスイングチェアを製作する構造を単純化し、その製造費用を節減することができる効果がある。
【００４３】
第二、てこの原理を利用して使用者が踏み台に小さい力を加えるだけでも、別途動力源なしにスイングチェアが前方または後方に容易にスイングできるようにすることで、老弱者の下半身運動を目的としてスイングチェアを利用できる効果がある。
【００４４】
第三、回転連結部材に別途操作ハンドルを備えるので、使用者が踏み台を踏まないし、操作ハンドルを前後方向に移動させることで、座席部を前後方向にスイングさせることができる効果がある。
【００４５】
第四、使用者が子供や老弱者である場合、保護者が取っ手を前方または後方に移動させてスイングチェアをスイングさせることができる効果がある。
【００４６】
第五、座席部に搖りかごを備えることで、幼い赤ん坊の面倒を見られる効果がある。
【００４７】
第六、座席部または回転連結部材にあん摩手段を備え、使用者の疲れを解消できる効果がある。
【００４８】
第七、座席部に身体情報を測定できる手段を備え、老弱者の健康状態を認知できる効果がある。
【００４９】
本発明の効果は、以上で言及した効果に制限されず、言及されていない別の効果は、請求範囲の記載から当業者にとって明確に理解できる。
【図面の簡単な説明】
【００５０】
以下で説明する本出願の実施例の詳細な説明だけでなく、要約は添付の図面を参照して読む時もっと理解することができる。本出願を例示するための目的として、図面には実施例が図示されている。しかし、本出願は図示された正確な配置と手段に限定されないことを理解しなければならない。
【００５１】
【図１】本発明の第１実施例によるスイングチェアの全体模様を示す図面；
【００５２】
【図２】本発明による第１実施例ないし第６実施例によるスイングチェアに共通して適用される作動構造を示す図面；
【図３】本発明による第１実施例ないし第６実施例によるスイングチェアに共通して適用される作動構造を示す図面；
【００５３】
【図４】本発明の第１実施例によるスイングチェアが作動する模様を示す図面；
【図５】本発明の第１実施例によるスイングチェアが作動する模様を示す図面；
【図６】本発明の第１実施例によるスイングチェアが作動する模様を示す図面；
【００５４】
【図７】本発明の第１実施例によるスイングチェアに搖りかご及び取っ手が取り付けられた模様を示す図面；
【００５５】
【図８】本発明の第１実施例によるスイングチェアにあん摩手段が取り付けられた模様を示す図面；
【００５６】
【図９】本発明の第２実施例によるスイングチェアの全体模様を示す図面；
【００５７】
【図１０】本発明の第２実施例によるスイングチェアの側面図；
【００５８】
【図１１】本発明の第５実施例及び第６実施例によるスイングチェアの全体模様を示す図面；
【００５９】
【図１２】本発明の第５実施例及び第６実施例によるスイングチェアの側面図である。
【発明を実施するための形態】
【００６０】
以下、本発明の目的が具体的に実現できる本発明の好ましい実施例を添付の図面を参照して説明する。本実施例を説明するにあたり、同一構成に対しては同一名称及び同一符号が使われ、これによる付加説明は省略する。また、本発明の実施例を説明するにあたり、図面に図示された構成は詳細な説明を理解し易くするための例示であって、その形状に対しては制限されずに多様であってもよく、これによって権利範囲が制限されないことを明示する。
【００６１】
図１を参照すれば、
本発明によるスイングチェアは、概略的に、支持台１００、メイン作動部材２００、サブ作動部材３００、座席部４００及び回転連結部材５００を含む。
【００６２】
本発明によるスイングチェアは、柱部５０をさらに含んでもよく、前記柱部５０はスイングチェアの荷重及び使用者の荷重を考慮して、本実施例のように、底で離隔されて一対で設けられることが好ましい。
【００６３】
支持台１００は、底から一定の高さ以上に位置するよう、柱部５０の上部を連結するように設けられる。
【００６４】
前記支持台１００は、底から一定高さ以上に位置するよう、壁体と隣接した別の壁体の間に設けられてもよい。
【００６５】
図１は、本発明の第１実施例によるスイングチェアの斜視図で、図２及び図３は、本発明による第１ないし第６実施例によるスイングチェアに共通して適用される作動構造を示す図面で、図４ないし図６は、本発明の第１実施例によるスイングチェアの作動方式の様態を示す図面である。
【００６６】
図１及び図４を参照すれば、
メイン作動部材２００は長く形成され、一側が前記支持台１００に仮想の第１回転軸Ｌ１を有して回転できるように結合される。そして、前記メイン作動部材２００は複数個で構成され、前記第１回転軸Ｌ１上で水平に離隔して配置される。
【００６７】
サブ作動部材３００は長く形成され、一側が前記第１回転軸Ｌ１と一定距離平行に離隔された仮想の第２回転軸Ｌ２を有し、前記支持台１００に回転できるように結合される。
すなわち、本実施例のように、サブ作動部材３００は第１回転軸Ｌ１から上部側に平行に離隔されるよう、支持台１００に回転できるように結合される。
そして、前記サブ作動部材３００は複数個で構成され、第２回転軸Ｌ２上で水平に離隔して配置される。
【００６８】
前記仮想の第１回転軸Ｌ１及び前記仮想の第２回転軸Ｌ２は、連結ホックやブラケットなどの回転できる様々な連結手段が用いられてもよい。
【００６９】
図１及び図４を参照すれば、
座席部４００は、離隔して配置されたメイン作動部材２００の間に固定して結合される。
【００７０】
メイン作動部材２００は、長手方向に沿う少なくとも一部はワイヤの形態で形成され、長手方向に沿って座席部４００の下部に配置された領域は、フレーム形態で形成される。すなわち、本実施例におけるメイン作動部材２００は、ワイヤ及びフレームで構成される。
【００７１】
図示されたように、長手方向に沿うワイヤの形態のメイン作動部材２００の上部は、支持台１００に回転できるように連結され、前記ワイヤの形態のメイン作動部材２００の下部は、座席部４００に固定して結合され、フレームは座席部４００の下部に結合される。
そして、座席部４００がメイン作動部材２００に安定的に取り付けられるために、補助支持部材２７０がさらに備えられる。前記補助支持部材２７０は、ワイヤの形態で長く形成され、一側が支持台１００に回転できるように連結され、他側が座席部４００に連結される。
【００７２】
回転連結部材５００は長く形成されて前後方向に配置され、後方がメイン作動部材２００であるフレームの他側と仮想の第４回転軸Ｌ４を有するように回転できるように結合され、前方がサブ作動部材３００の他側と仮想の第３回転軸Ｌ３を有するよう、回転できるように結合される。よって、前記回転連結部材５００は、前記サブ作動部材３００との結合地点である第３回転軸Ｌ３を中心として上下に回転できるように連結される。
【００７３】
前記仮想の第３回転軸Ｌ３及び前記仮想の第４回転軸Ｌ４は、連結ホックやブラケットなど回転可能な様々な連結手段が使用されてもよい。
【００７４】
これによって、図２に図示されたように、回転連結部材５００は、支持台１００、メイン作動部材２００及びサブ作動部材３００とともに密閉された仮想の四角形を成すように配置される。
そして、図面には図示されていないが、メイン作動部材２００が全部ワイヤの形態で形成されてもよい。この場合、ワイヤの形態であるメイン作動部材２００の下部に別途の結合手段を利用して座席部４００を設け、回転連結部材５００の後方がワイヤ形態であるメイン作動部材２００の他側と仮想の第４回転軸Ｌ４を有するよう、回転できるように結合される。
【００７５】
回転連結部材５００は、長手方向に沿って一部が前方に突出して形成されている。
本実施例において、回転連結部材５００は、サブ作動部材３００の他側と回転できるように結合された第３回転軸Ｌ３の前方に突出して延長された形態を有する。
【００７６】
図１に図示されたように、回転連結部材５００は、長手方向に沿って突出して形成された前方が踏み台の形態で形成されるか、前記回転連結部材５００に別途踏み台５２０を備えて使用者が座席部４００に着席した状態で足を利用して操作できるように配置及び構成される。
【００７７】
図２、図４及び図５を参照すれば、
使用者が座席部４００に着席して回転連結部材５００に備えられた踏み台５２０を押す外力を伝える場合、回転連結部材５００とメイン作動部材２００が結合された内角Ａが増加する方向へと回転連結部材５００が回転される。すなわち、スイングチェアが停止した状態で回転連結部材５００とメイン作動部材２００が結合された内角ＡがＡ＋αに増加するように回転連結部材５００が回転される。
【００７８】
図３及び図５を参照すれば、
回転連結部材５００は、サブ作動部材３００との結合地点である第３回転軸Ｌ３を中心として上下に回転できるように連結される。
【００７９】
ここで、踏み台５２０と第３回転軸Ｌ３の間の距離をａとし、前記第３回転軸Ｌ３と第４回転軸Ｌ４の間の距離をｂとし、使用者が座席部４００に着席した状態で回転連結部材５００の踏み台５２０に垂直方向に押す力Ｆを加えると、てこの原理ａ*Ｆ＝ｂ*Ｆ'によって、回転連結部材５００の後方が垂直方向に浮き上がる力Ｆ'＝ａ／ｂ*Ｆになって、実際に回転連結部材５００が回転される力Ｆｘ＝ａ／ｂ*Ｆ*ｓｉｎθになる。
まとめると、使用者が回転連結部材５００の前方に形成された踏み台５２０に垂直方向に押す力Ｆを加えると、回転連結部材５００の後方はＦｘの力で回転する。
したがって、回転連結部材５００は、回転連結部材５００とメイン作動部材２００が結合された内角Ａが増加する方向に回転され、メイン作動部材２００及び座席部４００が仮想の四角形によって連動され、仮想の垂直線を基準として第１回転軸Ｌ１を中心に前方に移動される。
【００８０】
本発明によるスイングチェアは、回転連結部材５００が長手方向に沿って前方に伸縮できるように構成される。すなわち、第３回転軸Ｌ３から回転連結部材５００の前方の端までの長さであるａを短く形成することも、長く形成することもできる。
【００８１】
また、サブ作動部材３００の他端が回転連結部材５００に結合される第３回転軸Ｌ３の位置を調節することもできる。すなわち、ｂの長さを短く形成することも、長く形成することもできる。
【００８２】
本発明によるスイングチェアの回転連結部材５００は、前記ａの長さを長く形成し、前記ｂの長さを短く形成することが好ましい。
前に検討したように、使用者が回転連結部材５００の前方に形成された踏み台５２０に、垂直方向に押す力Ｆを加えると、回転連結部材５００が回転される力Ｆｘ＝ａ／ｂ*Ｆ*ｓｉｎθになる。よって、ａの値が大きいほど、そしてｂの値が小さいほど、Ｆを小さい力で加えても回転連結部材５００が回転される力Ｆｘの値は大きくなる。
したがって、回転連結部材５００のａの長さを長く形成し、ｂの長さを短く形成することで、使用者が踏み台５２０に小さい力を加えるだけでも回転連結部材５００が大きい力で回転され、結果的に使用者が着席した座席部４００が前方に容易に移動する。
【００８３】
前記のように、てこの原理を利用して使用者が踏み台５２０に小さい力を加えるだけでも座席部４００が前方または後方に容易にスイングするので、老弱者の下半身運動を目的として本発明によるスイングチェアを利用できる効果がある。
【００８４】
図２及び図６を参照すれば、
メイン作動部材２００及び座席部４００が前方向に移動した後は、位置エネルギーが運動エネルギーに変換しながら、慣性によってメイン作動部材２００及び座席部４００が後方向に移動する。
この場合、回転連結部材５００とメイン作動部材２００が結合された内角Ａが減少する方向へと回転連結部材５００が回転する。つまり、回転連結部材５００とメイン作動部材２００が結合された内角ＡがＡ−αに減少されるよう、回転連結部材５００が回転され、メイン作動部材２００及び座席部４００が仮想の四角形によって連動され、仮想の垂直線を基準として第１回転軸Ｌ１を中心に後方に移動する。
以後、慣性によって、メイン作動部材２００及び座席部４００はまた、図５に図示されたように戻るようになるが、この場合、慣性力が弱くなって前記図５に図示された様態よりは移動が少なくなる。すなわち、回転連結部材５００とメイン作動部材２００の結合された内角Ａ＋αより小さい角度で回転連結部材５００が回転された状態にある。
したがって、この時、使用者が再び踏み台５２０に押す力Ｆを加えると、第３回転軸Ｌ３を中心として回転連結部材５００の後方が浮き上がる力Ｆｘが増加するので、回転連結部材５００は図５に図示された様態よりさらに大きい角度で回転する。すなわち、回転連結部材５００とメイン作動部材２００が結合された内角Ａ＋αよりさらに大きい角度で回転連結部材５００が回転され、結果的に、座席部４００が前方に大きく移動する。
【００８５】
前記のような過程を通して、本発明によるスイングチェアのメイン作動部材２００及び座席部４００が前方または後方にスイングするようになる。
まとめると、図４に図示されたように、スイングベンチが停止した状態で使用者が座席部４００に着席して踏み台５２０に力を加えれば、図５に図示されたように、座席部４００が前方に移動し、以後、慣性によって図６に図示されたように、座席部４００が後方に移動し、また慣性によって座席部４００が図５に図示されたことより少し移動した状態である時、使用者が再び踏み台５２０に力を加えると、座席部４００は前方または後方に大きくスイングし続ける。
メイン作動部材２００及び座席部４００がスイングされた後は慣性力が大きくなるので、使用者は座席部４００が前方に移動された状態で、踏み台５２０を弱い力で踏んだだけでも座席部４００は大きくスイングする。
【００８６】
前記のように、本発明によるスイングベンチは、別途動力源なくても踏み台５２０に力を加えるだけで容易にスイングされる。
【００８７】
本実施例のように、メイン作動部材２００及び前記メイン作動部材２００の前方に設けられたサブ作動部材３００がいずれもワイヤの形態で構成された場合、座席部４００はサブ作動部材３００ではなく、メイン作動部材２００に設けられなければならない。
もし、座席部４００がサブ作動部材３００に設けられれば、使用者が踏み台５２０に力を加えて回転連結部材５００が第３回転軸Ｌ３を中心として回転されて前記回転連結部材５００の後方が上昇すれば、ワイヤの形態であるメイン作動部材２００が収縮され、曲がるようになるので、本実施例におけるスイングベンチが作動しないためである。
【００８８】
図７を参照すれば、
座席部４００または回転連結部材５００には取っ手９００がさらに備えられてもよい。
したがって、使用者が子供や老弱者である場合、保護者が取っ手９００を把持し、前方または後方に移動させると、踏み台５２０に力を加えなくても座席部４００は前方または後方にスイングするようになる。
前記取っ手９００の形態は限定されず、座席部４００または回転連結部材５００の様々な位置で様々な形態で形成されてもよいことは勿論である。
【００８９】
座席部４００には搖りかご６００がさらに備えられてもよく、前記搖りかご６００は赤ん坊が落ちないように別途結合手段によって座席部４００に固定されることが好ましい。
この場合、赤ん坊を搖りかご６００に横たえて保護者が取っ手９００を前方または後方に移動させ、座席部４００をゆっくりスイングすることができるし、幼い赤ん坊を搖りかご６００に横たえた状態で保護者が座席部４００に着席し、踏み台５２０を踏んで座席部４００をスイングさせる場合、赤ん坊と保護者が顔を合わせることができるので、赤ん坊の情緒に役立つ効果を得られる。
【００９０】
回転連結部材５００には、サブ作動部材３００との結合地点である第３回転軸Ｌ３の前方に別途操作ハンドル（未図示）が備えられてもよい。前記操作ハンドルは、前述した取っ手９００に取り替えられてもよく、使用者が座席部４００に着席した状態で接近可能な位置で配置されるように形成されることが好ましい。
したがって、使用者は座席部４００に着席した状態で、踏み台５２０を踏まずに、操作ハンドル（未図示）を把持して前方または後方に移動させることにより、座席部４００を前後方向にスイングすることができる。
【００９１】
図８を参照すれば、
座席部４００または回転連結部材５００は、あん摩手段７００をさらに含んでもよい。
前記あん摩手段７００は、電動式で作動する振動ローラー、指圧ローラーなどが使われてもよく、複数個の突起が形成された指圧板などが使われてもよい。
【００９２】
実施例では、図面に図示されたように、座席部４００に電動式で作動する振動ローラー、指圧ローラーなどのあん摩機能を有する装置を内蔵してもよく、前記座席部４００の上面に複数個の突起が形成された指圧パッド（未図示）を設けてもよい。
【００９３】
また、図面に図示されたように、踏み台５２０の代わりに、上面に複数個の突起が形成された指圧板７２０を設けてもよく、電動式で作動する指圧ローラー（未図示）などを設けてもよい。
【００９４】
したがって、使用者は、本実施例によるスイングチェアを使用しながら、あん摩を受ける効果を得られる。
【００９５】
図面には図示していないが、座席部４００には身体情報を測定できる手段がさらに備えられてもよい。
前記身体情報を測定できる手段は、超小型心拍数測定機、超小型体脂肪測定機、腕時計用血圧測定機、超小型カロリー消耗測定機など、体積が小さく、簡単に身体情報を測定できる手段が使われることが好ましい。
本発明によるスイングチェアは、踏み台５２０を弱い力で踏んでも軽くスイング可能な構成を有するので、老弱者が運動を目的としてスイングチェアを用いる場合、運動効果の他に前記身体情報の測定手段を利用して現在の健康状態を認識できる効果がある。
【００９６】
以下、サブ作動部材３００がメイン作動部材２００の前方に位置するように、支持台１００に設けられたことを基準として本発明によるスイングチェアの第２実施例ないし第６実施例によるスイングチェアの構成及び作動方式について説明する。
また、前述した図２及び図３に関するスイングチェアの作動構造に対する内容は、後述する本発明による第２実施例ないし第６実施例によるスイングチェアに共通して適用される。
【００９７】
図９及び図１０には、本発明の第２実施例によるスイングチェアの模様が図示されている。
第２実施例におけるスイングチェアと図１及び図４ないし図６で説明した第１実施例によるスイングチェアとの相違点は、メイン作動部材２００が曲がらない剛性材質のフレーム形態で形成される点である。
前記のように、メイン作動部材２００がフレーム形態で形成される構成を除いて、本実施例におけるスイングベンチの構成及び作動方式は、前述した図２ないし図６の第１実施例によるスイングベンチの構成及び作動方式と類似である。
したがって、使用者が踏み台５２０に力を加えれば、回転連結部材５００が回転しながら座席部４００が前方または後方にスイングする。
【００９８】
第３実施例によるスイングチェア（未図示）は、図９及び図１０において、座席部４００が離隔して配置されたワイヤ形態のサブ作動部材３００に別途結合手段によって固定結合される形態である。
前記のように、座席部４００がワイヤ形態のサブ作動部材３００に別途結合手段によって固定結合された場合、使用者が踏み台５２０に力を加えて回転連結部材５００が第３回転軸Ｌ３を中心として回転され、前記回転連結部材５００の後方が上昇してもフレーム形態のメイン作動部材２００は曲がらないので、本実施例におけるスイングベンチは、前後方向にスイングする。
【００９９】
第４実施例によるスイングチェア（未図示）は、図１及び図４ないし図６に図示された第１実施例のスイングチェアにおいて、サブ作動部材３００がフレーム形態で形成される形態である。
したがって、本実施例でも、使用者が踏み台５２０を踏めば、図４ないし図６のように、座席部４００が前後方向にスイングされる。
前記のような場合は、座席部４００が前方に位置したフレーム形態のサブ作動部材３００ではなく、後方に位置したワイヤ形態のメイン作動部材２００に固定結合されなければならない。
もし、座席部４００がサブ作動部材３００に結合された場合、使用者が踏み台５２０に力を加えて回転連結部材５００の後方が上昇すれば、ワイヤの形態であるメイン作動部材２００が曲がって、スイングベンチが作動しないためである。
【０１００】
図１１及び図１２には、本発明の第５実施例及び第６実施例によるスイングチェアの模様が図示されている。
本実施例におけるスイングチェアは、メイン作動部材２００及びサブ作動部材３００がいずれも曲がらない剛性材質のフレーム形態で形成される。
前記メイン作動部材２００の上部及び前記サブ作動部材３００の上部は、支持台１００に設けられたブラケット９０などの連結手段によってそれぞれ第１回転軸Ｌ１及び第２回転軸Ｌ２を有するよう、回転できるように結合される。
そして、前記メイン作動部材２００の上部及び前記サブ作動部材３００の上部が互いに干渉しないように、第１回転軸Ｌ１及び第２回転軸Ｌ２は、前後方向に離隔して配置されることが好ましい。
第３回転軸Ｌ３及び第４回転軸Ｌ４に回転できるように結合される回転連結部材５００は、内側プレート５５０及び外側プレート５６０の形態で構成されてもよい。
【０１０１】
第５実施例のスイングチェアは、座席部４００がメイン作動部材２００に固定結合され、第６実施例のスイングチェアは、座席部４００がサブ作動部材３００に固定結合される形態である。
したがって、前記第５実施例及び第６実施例におけるスイングベンチの場合も、使用者が踏み台５２０部に力を加えれば、回転連結部材５００が回転しながら座席部４００が前方または後方にスイングする。
【０１０２】
以上のように、本発明による好ましい実施例を検討し、前述した実施例以外も本発明がその主旨や範疇を脱することがなく別の特定形態で具体化できるという事実は、該当技術に通常の知識を有する者には自明である。したがって、上述した実施例は、制限的なものではなく例示的なものとして思われなければならず、これによって、本発明は上述した説明に限定されず、添付の請求項の範疇及びその同等範囲内で変更されることもできる。
【図１】
2019536529.tif 000003
【図２】
2019536529.tif 000004
【図３】
2019536529.tif 000005
【図４】
2019536529.tif 000006
【図５】
2019536529.tif 000007
【図６】
2019536529.tif 000008
【図７】
2019536529.tif 000009
【図８】
2019536529.tif 000010
【図９】
2019536529.tif 000011
【図１０】
2019536529.tif 000012
【図１１】
2019536529.tif 000013
【図１２】
2019536529.tif 000014
【国際調査報告】
2019536529.tif 000015
2019536529.tif 000016
2019536529.tif 000017
2019536529.tif 000018